(57)【要約】【課題】梯子の設置角度が略７５°であることを視認し易く、梯子に何も取り付ける必要がないと共に、梯子の支柱の下端の滑りを防止できる梯子用滑り止め具を提供する。【解決手段】基板２と、基板２の下面２ｂに貼り付けられた滑り止めシート３と、筒状に形成されかつ上部が開口するように基板２の上面２ａに突設された少なくとも１つの立ち上がり部４と、回動軸方向が前後方向となるように下端が基板２の上面２ａに回動自在に固定されかつ後方側の下角部９の角度Ａが略７５°とされた角度確認板５と、備えた。【選択図】図７
2008179972.tif 000002
【特許請求の範囲】
【請求項１】
基板と、
前記基板の下面に貼り付けられた滑り止めシートと、
筒状に形成されかつ上部が開口するように前記基板の上面に突設された少なくとも１つの立ち上がり部と、
回動軸方向が前後方向となるように下端が前記基板の上面に回動自在に固定されかつ後方側の下角部の角度が略７５°とされた角度確認板と、
備えたことを特徴とする梯子用滑り止め具。
【請求項２】
前記角度確認板を前記基板の面方向に対して略直角に立てた状態で前記立ち上がり部に立て掛け可能となるように前記立ち上がり部の近傍に設けた請求項１記載の梯子用滑り止め具。
【請求項３】
前記基板にその厚さ方向に貫通する少なくとも１つの貫通孔を設けた請求項１又は２記載の梯子用滑り止め具。
【請求項４】
前記滑り止めシートにその厚さ方向に貫通する少なくとも１つの貫通孔を前記基板の貫通孔と連通するように設けた請求項３記載の梯子用滑り止め具。
【請求項５】
前記立ち上がり部内の前記基板の上面に梯子用滑り止めシートを貼り付けた請求項１から４のいずれか記載の梯子用滑り止め具。
【発明の詳細な説明】
【技術分野】
【０００１】
本発明は、建物の躯体等に立て掛けられる梯子（ハシゴ）の設置角度、すなわち梯子とその設置面とのなす角度を安全使用角度である略７５°とし、かつ立て掛けられた梯子の支柱の下端の滑りを防止するための梯子用滑り止め具に関するものである。
【背景技術】
【０００２】
周知のように、互いに間隔を開けて対向する１対の支柱と、前記１対の支柱の間に支柱の長さ方向に対して直角方向にかつ支柱の長さ方向に互いに間隔を開けて架設された複数の踏桟とを備えた梯子を建物の躯体等に立て掛ける際には、梯子が下方にたわんだり手前に転倒したりしないように、梯子の設置角度を略７５°とするのが望ましい。
【０００３】
梯子の設置角度が略７５°となるようにするための従来の技術としては、９０°、７５°、及び１５°の内角を有し、かつ縦辺としての長辺、横辺としての短辺、及び斜辺を有する直角三角形状の視認用図形を表面に印刷したシールを、視認用図形の斜辺が支柱の長さ方向に対して平行となるように支柱の側面に貼り付け、視認用図形の長辺が鉛直方向となるように梯子を設置することが提案されている。しかし、シール及びその表面に印刷された視認用図形が小さく、視認用図形の長辺が鉛直方向となっているか否かを視認しにくいので、梯子の設置角度の誤差が大きいという問題点がある。
【０００４】
そこで、設置角度が略７５°であることをより正確に視認するために、水準器を取り付けた梯子（例えば、特許文献１参照。）が提案されている。
【特許文献１】特開２００１−１８２３２８号公報（図１、図４等）
【０００５】
一方、梯子の支柱の下端については、梯子が設置された設置面上に載置するだけで、滑り対策をしないことが多い。
【発明の開示】
【発明が解決しようとする課題】
【０００６】
しかし、上記のような水準器を取り付けた梯子においては、水準器が別途必要であると共に、水準器を梯子に取り付ける手間がかかるので、梯子の製造コストが高くなるという問題点がある。
【０００７】
また、梯子の設置面は土間コンクリートの上面等であり、梯子の支柱の下端が滑るおそれがあるので、滑り対策をしないまま梯子を使用するのは安全上好ましくないという問題点がある。
【０００８】
本発明は、以上のような事情や問題点に鑑みてなされたものであり、梯子の設置角度が略７５°であることを視認し易く、梯子に何も取り付ける必要がないと共に、梯子の支柱の下端の滑りを防止できる梯子用滑り止め具を提供することを目的とする。
【課題を解決するための手段】
【０００９】
上記目的を達成するための請求項１の発明は、基板と、前記基板の下面に貼り付けられた滑り止めシートと、筒状に形成されかつ上部が開口するように前記基板の上面に突設された少なくとも１つの立ち上がり部と、回動軸方向が前後方向となるように下端が前記基板の上面に回動自在に固定されかつ後方側の下角部の角度が略７５°とされた角度確認板と、備えたものである。
【００１０】
請求項２の発明は、前記角度確認板を前記基板の面方向に対して略直角に立てた状態で前記立ち上がり部に立て掛け可能となるように前記立ち上がり部の近傍に設けたものである。
【００１１】
請求項３の発明は、前記基板にその厚さ方向に貫通する少なくとも１つの貫通孔を設けたものである。
【００１２】
請求項４の発明は、前記滑り止めシートにその厚さ方向に貫通する少なくとも１つの貫通孔を前記基板の貫通孔と連通するように設けたものである。
【００１３】
請求項５の発明は、前記立ち上がり部内の前記基板の上面に梯子用滑り止めシートを貼り付けたものである。
【発明の効果】
【００１４】
請求項１の発明によれば、梯子の支柱の長さ方向が角度確認板の斜辺に対して平行方向となるように調整するだけでよいので、梯子の設置角度が略７５°であることを視認し易いと共に、梯子に何も取り付ける必要がない。また、ストッパとして機能する立ち上がり部内に支柱の下端が挿入されると共に、滑り止めシートにより基板の滑りが防止されるので、支柱の下端の滑りを防止することができる。更に、角度確認板は、基板側に倒しておくことができるので、収納時や運搬時にかさ張らない。
【００１５】
請求項２の発明によれば、梯子を設置する際に角度確認板を支持する必要がないので、角度確認板を基板の面方向に対して略直角に立てた状態に支持する支持部材が不要であると共に、梯子の設置作業をその作業者だけで行うことができる。
【００１６】
請求項３の発明によれば、貫通孔を通して止着部材により基板を設置面に対して固定できるので、基板の滑りを確実に防止することができる。
【００１７】
請求項４の発明によれば、止着部材で基板を固定する際に滑り止めシートを破る抵抗がかからないので、基板の固定作業を行い易い。
【００１８】
請求項５の発明によれば、設置される梯子の支柱の下端がより滑りにくい。
【発明を実施するための最良の形態】
【００１９】
以下、本発明の実施形態を図面に基づいて説明する。
本実施形態に係る梯子用滑り止め具１は、図１〜図３に示すように、主な構成要素として、基板２、滑り止めシート３、例えば２つの立ち上がり部４、及び角度確認板５を備えたものである。
【００２０】
基板２、立ち上がり部４、及び角度確認板５は、鋼等の金属製であることが望ましいが、合成樹脂製であってもよい。基板２、立ち上がり部４、及び角度確認板５が金属製である場合は、防錆等のために、これらをポリ塩化ビニル等の合成樹脂で被覆したり、あるいはこれらに塗料を塗布したりしてもよい。
【００２１】
基板２は、図１に示すように、例えば長方形状に形成されているが、その形状は必要に応じて適宜変更可能である。この基板２の例えば前端側の中央には、その厚さ方向に貫通する例えば１つの貫通孔６が設けられている。なお、貫通孔６の数は、１つに限定されるものではなく、２つ以上であってもよい。貫通孔６の位置も、特に限定されるものではない。
【００２２】
滑り止めシート３は、ゴム等で構成されており、図２及び図３に示すように、基板２の下面２ｂに接着剤等により貼り付けられている。この滑り止めシート３は、基板２の滑りを防止するものである。
【００２３】
立ち上がり部４は、図１〜図３に示すように、例えば角筒状に形成されており、上部が開口するように基板２の上面２ａに突設されている。この立ち上がり部４は、例えば２つ設けられている。１対の立ち上がり部４は、左右方向に間隔を開けて対向するように突設されている。立ち上がり部４は、梯子の支柱の下端が滑った場合のストッパとして機能する。なお、立ち上がり部４の形状は、特に限定されるものではなく、角筒状の他、円筒状、楕円筒状等であってもよい。立ち上がり部４の数も、２つに限定されるものではなく、梯子の支柱の数に合わせて、１つ又は３つ以上であってもよい。ここで、立ち上がり部４を、可撓性を有する合成樹脂で構成して折り畳み可能としておけば、収納時や運搬時にかさ張らないという利点がある。
【００２４】
立ち上がり部４内の基板２の上面２ａには、梯子用滑り止めシート７が貼り付けられている。このように、梯子用滑り止めシート７を設けておけば、設置された梯子の支柱の下端がより滑りにくいという利点がある。
【００２５】
角度確認板５は、図１及び図３に示すように、例えば台形状に形成されており、回動軸方向が前後方向となるように下端が例えば蝶番８を介して基板２の上面２ａに回動自在に固定されている。この角度確認板５の後方側の下角部９の角度Ａは、梯子の安全使用角度である略７５°とされている。ここでいう略７５°とは、７４°〜７６°をいう。
【００２６】
図１〜図３に示すように、角度確認板５は、基板２の面方向に対して略直角に立てた状態で立ち上がり部４に立て掛け可能となるように立ち上がり部４の近傍に設けられている。これにより、梯子を設置する際に角度確認板５を支持する必要がないので、角度確認板５を基板２の面方向に対して略直角に立てた状態に支持する支持部材が不要であると共に、梯子の設置作業をその作業者だけで行うことができるという利点がある。角度確認板５を立ち上がり部４の近傍に設けない場合は、基板２の上面２ａに前記支持部材を設けてもよい。一方、角度確認板５は、基板２側に倒しておくことができるので、収納時や運搬時にかさ張らないという利点がある。
【００２７】
基板２の上面２ａの例えば後端には「足元確認！」等の標語１０が表示されていると共に、角度確認板５の例えば一面には「７５°ヨシ」等の標語１１が表示されている。基板２の上面２ａの例えば左端、右端、及び前端や、角度確認板５の例えば一面の上端及び下端には、黄色と黒色のストライプ柄等を表示したテープ１２が貼り付けられている。このように、標語１０、１１を表示したり、テープ１２を貼り付けたりしておけば、安全作業励行を促すことができるという利点がある。なお、標語１０、１１やテープ１２の位置は、特に限定されるものではなく、適宜変更可能である。
【００２８】
次に、上記のように構成された梯子用滑り止め具１の使用方法について説明する。
梯子用滑り止め具１の使用に際しては、図４に示すように、まず、梯子用滑り止め具１を土間コンクリートの上面等の梯子の設置面２１に載置する。次いで、貫通孔６を通してコンクリートビス等の止着部材２２により基板２を設置面２１に対して固定する。このように、基板２の適宜の位置にその厚さ方向に貫通する少なくとも１つの貫通孔６を設けておけば、貫通孔６を通して止着部材２２により基板２を設置面２１に対して固定できるので、基板２の滑りを確実に防止できるという利点がある。
【００２９】
基板２に貫通孔６を設けた場合、図示しないが、滑り止めシート３にその厚さ方向に貫通する貫通孔を基板２の貫通孔６と連通するように設けておけば、止着部材２２で基板２を固定する際に滑り止めシート３を破る抵抗がかからないので、基板２の固定作業を行い易いという利点がある。なお、滑り止めシート３の貫通孔の数は、１つに限定されるものではなく、基板２の貫通孔６の数に合わせて２つ以上であってもよい。
【００３０】
次いで、図５に示すように、角度確認板５を立ち上がり部４に立て掛けることによって、角度確認板５を基板２の面方向に対して略直角に立てた状態に支持する。
【００３１】
そして、図６及び図７に示すように、梯子２３を建物の躯体２４等に立て掛ける際に、梯子２３の支柱２５の下端を立ち上がり部４内に挿入すると共に、支柱２５の長さ方向が角度確認板５の斜辺５ａに対して平行方向となるように梯子２３を立ち上がり部４内の梯子用滑り止めシート７上に設置する。
【００３２】
梯子２３は、互いに間隔を開けて対向する１対の支柱２３と、１対の支柱２３の間に支柱２３の長さ方向に対して直角方向にかつ支柱２３の長さ方向に互いに間隔を開けて架設された複数の踏桟２６とを備えている。
【００３３】
なお、左右方向に延びる立ち上がり部４を１つだけ設けておき、この立ち上がり部４内に梯子２３の１対の支柱２５を挿入するようにしてもよい。また、梯子２３の構成は特に限定されるものではなく、少なくとも１つの支柱２５と複数の踏桟２６とを備えた各種のものを使用することができる。更に、支柱２５の下端には、脚部材が回動自在に固定されていてもよい。
【００３４】
このように、支柱２５の長さ方向が角度確認板５の斜辺５ａに対して平行方向となるように調整するだけでよいので、梯子２３の設置角度Ｂが略７５°であることを視認し易いと共に、梯子２３に何も取り付ける必要がないという利点がある。また、ストッパとして機能する立ち上がり部４内に支柱２５の下端が挿入されていると共に、滑り止めシート３により基板２の滑りが防止されているので、支柱２５の下端の滑りを防止できるという利点がある。
【産業上の利用可能性】
【００３５】
以上のように、本発明に係る梯子用滑り止め具は、梯子の設置角度が略７５°であることを視認し易く、梯子に何も取り付ける必要がないと共に、梯子の支柱の下端の滑りを防止できるようにする滑り止め具として適している。
【図面の簡単な説明】
【００３６】
【図１】実施形態に係る梯子用滑り止め具の平面図である。
【図２】図１の下方向から見た梯子用滑り止め具の正面図である。
【図３】図２の右方向から見た梯子用滑り止め具の右側面図である。
【図４】梯子用滑り止め具を設置面に固定した状態を示す正面図である。
【図５】角度確認板を立ち上がり部に立て掛けた状態を示す正面図である。
【図６】梯子を設置した状態を示す正面図である。
【図７】図６の右方向から見た梯子を設置した状態を示す右側面図である。
【符号の説明】
【００３７】
１  梯子用滑り止め具
２  基板
２ａ  上面
２ｂ  下面
３  滑り止めシート
４  立ち上がり部
５  角度確認板
６  貫通孔
７  梯子用滑り止めシート
９  下角部
【図１】
2008179972.tif 000003
【図２】
2008179972.tif 000004
【図３】
2008179972.tif 000005
【図４】
2008179972.tif 000006
【図５】
2008179972.tif 000007
【図６】
2008179972.tif 000008
【図７】
2008179972.tif 000009